(57)【要約】
　　【課題】　コンテナがコンテナ搬送車に載置された状態で、コンテナの荷の搬入、搬出作業を容易に行なう。
　　【解決手段】　地中に穴１を設け、穴１内に計量ロードセル３を介して支持枠２を設置し、支持枠２に垂直方向の案内ロッド５の両端を固定し、昇降テーブル６に円筒部材７を固定し、円筒部材７内に案内ロッド５を貫通させ、昇降テーブル６に昇降テーブル６を上昇位置に保持するロック手段のロック用油圧シリンダ８を固定し、支持枠２の底部２ａに昇降用油圧シリンダ９を固定し、昇降用油圧シリンダ９のピストンロッドの先端部を昇降テーブル６の底部に固定し、支持枠２の底部２ａの上面に昇降テーブル６を下降位置に保持するストッパ１０を固定する。
【選択図】　　　　図１
0003100015.tif 000002
【実用新案登録請求の範囲】
【請求項１】
　コンテナ搬送車に載置されたコンテナを昇降するコンテナ昇降装置において、地中に設けられた穴内に支持枠を設置し、上記支持枠に昇降テーブルを昇降可能に支持し、上記昇降テーブルを昇降する昇降駆動手段を設けたことを特徴とするコンテナ昇降装置。
【請求項２】
　上記昇降駆動手段として昇降用油圧シリンダを用いたことを特徴とする請求項１に記載のコンテナ昇降装置。
【請求項３】
　上記支持枠に垂直方向の案内ロッドの両端を固定し、上記昇降テーブルに筒状部材を固定し、上記筒状部材内に上記案内ロッドを貫通させることにより、上記支持枠に上記昇降テーブルを昇降可能に支持したことを特徴とする請求項１または２に記載のコンテナ昇降装置。
【請求項４】
　上記筒状部材として円筒部材を用いたことを特徴とする請求項３に記載のコンテナ昇降装置。
【請求項５】
　上記穴内に計量ロードセルを介して上記支持枠を設置したことを特徴とする請求項１〜４のいずれかに記載のコンテナ昇降装置。
【請求項６】
　上記昇降テーブルの上面が地表面と一致した上昇位置に上記昇降テーブルを保持するロック手段を設けたことを特徴とする請求項１〜５のいずれかに記載のコンテナ昇降装置。
【請求項７】
　上記ロック手段としてロック用油圧シリンダを有するものを用いたことを特徴とする請求項６に記載のコンテナ昇降装置。
【請求項８】
　上記コンテナの底面が地表面と一致した下降位置に上記昇降テーブルを保持するストッパを上記支持枠の底部の上面に固定したことを特徴とする請求項１〜７のいずれかに記載のコンテナ昇降装置。
【考案の詳細な説明】
【技術分野】
【０００１】
　本考案はコンテナ搬送車に載置されたコンテナを昇降するコンテナ昇降装置に関するものである。
【背景技術】
【０００２】
　従来、コンテナ搬送車によって搬送されたコンテナに荷を搬入し、そのコンテナから荷を搬出するときには、コンテナがコンテナ搬送車に載置された状態で、コンテナに荷を搬入し、コンテナから荷を搬出している。
【考案の開示】
【考案が解決しようとする課題】
【０００３】
　しかし、コンテナがコンテナ搬送車に載置された状態で、コンテナに荷を搬入し、コンテナから荷を搬出したときには、地表面とコンテナの底面との間に高低差があるから、荷の搬入、搬出作業を容易に行なうことができない。
【０００４】
　本考案は上述の課題を解決するためになされたもので、コンテナがコンテナ搬送車に載置された状態で、コンテナに荷を搬入し、コンテナから荷を搬出する作業を容易に行なうことができるコンテナ昇降装置を提供することを目的とする。
【課題を解決するための手段】
【０００５】
　この目的を達成するため、本考案においては、コンテナ搬送車に載置されたコンテナを昇降するコンテナ昇降装置において、地中に設けられた穴内に支持枠を設置し、上記支持枠に昇降テーブルを昇降可能に支持し、上記昇降テーブルを昇降する昇降駆動手段を設ける。
【０００６】
　この場合、上記昇降駆動手段として昇降用油圧シリンダを用いてもよい。
【０００７】
　また、上記支持枠に垂直方向の案内ロッドの両端を固定し、上記昇降テーブルに筒状部材を固定し、上記筒状部材内に上記案内ロッドを貫通させることにより、上記支持枠に上記昇降テーブルを昇降可能に支持してもよい。
【０００８】
　この場合、上記筒状部材として円筒部材を用いてもよい。
【０００９】
　これらの場合、上記穴内に計量ロードセルを介して上記支持枠を設置してもよい。
【００１０】
　これらの場合、上記昇降テーブルの上面が地表面と一致した上昇位置に上記昇降テーブルを保持するロック手段を設けてもよい。
【００１１】
　この場合、上記ロック手段としてロック用油圧シリンダを有するものを用いてもよい。
【００１２】
　これらの場合、上記コンテナの底面が地表面と一致した下降位置に上記昇降テーブルを保持するストッパを上記支持枠の底部の上面に固定してもよい。
【考案の効果】
【００１３】
　本考案に係るコンテナ昇降装置においては、コンテナがコンテナ搬送車に載置された状態で、コンテナに荷を搬入し、コンテナから荷を搬出するときに、コンテナの底面を地表面と一致させることができるから、コンテナに荷を搬入し、コンテナから荷を搬出する作業を容易に行なうことができる。
【００１４】
　また、穴内に計量ロードセルを介して支持枠を設置したときには、コンテナ内の荷の重量を測定することができる。
【００１５】
　また、昇降テーブルを上昇位置に保持するロック手段を設けたときには、昇降テーブルを確実に上昇位置に保持することができる。
【００１６】
　また、下降位置に昇降テーブルを保持するストッパを支持枠の底部の上面に固定したときには、昇降テーブルを下降位置に確実に保持することができる。
【考案を実施するための最良の形態】
【００１７】
　図１は本考案に係るコンテナ昇降装置を示す概略正面図、図２は図１に示したコンテナ昇降装置を示す概略側面図である。図に示すように、地中に穴１が設けられ、穴１内に複数（６個）の計量ロードセル３を介して支持枠２が設置され、支持枠２に支柱４が設けられ、支持枠２に垂直方向の案内ロッド５の両端が固定され、案内ロッド５の断面形状は円形である。また、昇降テーブル６に円筒部材７が固定され、円筒部材７の内径は案内ロッド５の外径と等しく、円筒部材７内に案内ロッド５が貫通しており、昇降テーブル６は支持枠２に昇降可能に支持されている。また、昇降テーブル６に複数（４個）のロック用油圧シリンダ８が固定され、昇降テーブル６が上昇位置（説明後述）まで上昇した状態でロック用油圧シリンダ８のピストンロッドを伸長したときの支柱４の該ピストンロッドの先端部が当たるべき位置に、ロック用油圧シリンダ８のピストンロッドの先端部が係合すべき係合穴（図示せず）が設けられ、ロック用油圧シリンダ８、係合穴により昇降テーブル６を上昇位置に保持するロック手段が構成されている。また、支持枠２の底部２ａに昇降用油圧シリンダ９が固定され、昇降用油圧シリンダ９のピストンロッドの先端部が昇降テーブル６の底部に固定されている。また、支持枠２の底部２ａの上面に昇降テーブル６を下降位置（説明後述）に保持する複数（４個）のストッパ１０（図１では１個のみを図示）が固定され、２個のストッパ１０の間に昇降用油圧シリンダ９が位置している。そして、ロック用油圧シリンダ８、昇降用油圧シリンダ９に油圧を供給する油圧供給装置（図示せず）が設けられている。
【００１８】
　つぎに、図１、図２に示したコンテナ昇降装置を使用して、コンテナがコンテナ搬送車に載置された状態で、コンテナに荷を搬入し、コンテナから荷を搬出する作業の手順を説明する。まず、図３に示すように、昇降用油圧シリンダ９のピストンロッドを伸長して、昇降テーブル６の上面が地表面と一致した位置すなわち上昇位置まで昇降テーブル６を上昇させたのち、ロック用油圧シリンダ８のピストンロッドを伸長して、ロック用油圧シリンダ８のピストンロッドの先端部を係合穴に係合する。つぎに、地表面と昇降テーブル６の上面との間に第１の道板（図示せず）をかけたのち、トレーラ１１ａにコンテナ１２が載置されたコンテナ搬送車１１を昇降テーブル６上に移動する。つぎに、図４に示すように、第１の道板を外し、ロック用油圧シリンダ８のピストンロッドを縮小したのち、昇降用油圧シリンダ９のピストンロッドを縮小して、コンテナ１２の底面が地表面と一致した位置すなわち下降位置まで昇降テーブル６を下降させる。つぎに、コンテナ１２の後方部（図４紙面右方部）の開閉扉を開け、地表面とコンテナ１２の底面との間に第２の道板（図示せず）をかけて、小型のフォークリフトをコンテナ１２内まで移動可能としたのち、小型のフォークリフトを使用してコンテナ１２に荷を搬入し、コンテナ１２から荷を搬出し、コンテナ１２の開閉扉を閉じる。つぎに、図３に示すように、第１の道板を外したのち、昇降用油圧シリンダ９のピストンロッドを伸長して、上昇位置まで昇降テーブル６を上昇させ、ロック用油圧シリンダ８のピストンロッドを伸長して、ロック用油圧シリンダ８のピストンロッドの先端部を係合穴に係合する。つぎに、地表面と昇降テーブル６の上面との間に第１の道板をかけたのち、コンテナ搬送車１１を昇降テーブル６上から地表面上に移動する。
【００１９】
　このようなコンテナ昇降装置においては、コンテナ１２がコンテナ搬送車１１のトレーラ１１ａに載置された状態で、コンテナ１２に荷を搬入し、コンテナ１２から荷を搬出するときに、コンテナ１２の底面を地表面と一致させることができるから、コンテナ１２に荷を搬入し、コンテナ１２から荷を搬出する作業を容易に行なうことができる。また、穴１内に複数の計量ロードセル３を介して支持枠２を設置しているから、コンテナ搬送車１１、コンテナ１２の重量が既知であれば、コンテナ１２内の荷の重量を測定することができる。また、昇降テーブル６を上昇位置に保持するロック手段が設けられているから、昇降用油圧シリンダ９に供給される油圧が変動したとしても、昇降テーブル６を確実に上昇位置に保持することができる。また、支持枠２の底部２ａの上面に複数のストッパ１０が固定されているから、昇降テーブル６が下降位置になったときに、昇降テーブル６を下降位置に確実に保持することができる。
【００２０】
　なお、上述実施の形態においては、昇降駆動手段として昇降用油圧シリンダ９を用いたが、他の昇降駆動手段を用いてもよい。また、上述実施の形態においては、ロック手段としてロック用油圧シリンダ８を有するものを用いたが、他のロック手段を用いてもよい。また、上述実施の形態においては、筒状部材として円筒部材７を用いたが、他の筒状部材を用いてもよい。また、上述実施の形態においては、コンテナ搬送車１１がトレーラ１１ａを有する場合について説明したが、トレーラを有しないコンテナ搬送車を用いてもよい。
【図面の簡単な説明】
【００２１】
【図１】本考案に係るコンテナ昇降装置を示す概略正面図である。
【図２】図１に示したコンテナ昇降装置を示す概略側面図である。
【図３】図１、図２に示したコンテナ昇降装置の動作説明図である。
【図４】図１、図２に示したコンテナ昇降装置の動作説明図である。
【符号の説明】
【００２２】
　　　　１…穴
　　　　２…支持枠
　　　　３…計量ロードセル
　　　　４…支柱
　　　　５…案内ロッド
　　　　６…昇降テーブル
　　　　７…円筒部材
　　　　８…ロック用油圧シリンダ
　　　　９…昇降用油圧シリンダ
　　　１０…ストッパ
　　　１１…コンテナ搬送車
　　　１２…コンテナ
【図１】
0003100015.tif 000003
【図２】
0003100015.tif 000004
【図３】
0003100015.tif 000005
【図４】
0003100015.tif 000006